(57)【特許請求の範囲】
【請求項１】
枠体１内に温風流路２を形成し、該温風流路２の入口側に対流ファン３を取付け、かつ、枠体１の前面には温風流路２の出口側を構成する温風吹出口４を形成し、
該温風吹出口４には吹出す温風方向を所定の高さ方向に決めるルーバ５を設け、かつ、枠体１の温風吹出口４から一定の寸法を離して線材もしくは多孔板で形成した安全ガード６を設置した温風暖房機において、
温風吹出口４の両側方には枠体１の前面から前方に突出する制御板７を配置し、該制御板７の前部は温風吹出口４の前方に配置した安全ガード６の側端部と連続し、この制御板７はルーバ５から吹出す温風を枠体１の前方へ誘導すると共に、
前記温風吹出口４の前方に配置した安全ガード６の上部と下部には、安全ガード６を通過して前方へ吹出す温風の排出不良時に、この温風を枠体１の上下方向へ誘導する間隔が前記枠体１の前面との間に形成されていることを特徴とする温風暖房機の吹出口安全ガード。
【請求項２】
安全ガード６の側端部はそのまま側方へ伸ばし、
安全ガード６とは別部材によって構成した制御板７の前部と前記安全ガード６の側端部とを連続すると共に、
制御板７には温風吹出口４の側部の枠体１に固定する取付手段７ａを形成し、
該取付手段７ａによって制御板７を温風吹出口４の側部に固着しながら安全ガード６も取付する請求項１記載の温風暖房機の吹出口安全ガード。
【請求項３】
温風流路２付近の枠体１内には温風暖房機の運転を停止するハイリミットスイッチ８を設け、
前記温風吹出口４の両側方に配置した枠体１の側部への温風の流れを制御する制御板７の前部には、温風吹出口４の前方に配置した安全ガード６の側端部が連続しており、
かつ、前記安全ガード６の少なくとも上部から枠体１の前面に至る間隔に向けて、この安全ガード６から連続する遮蔽板９を配置し、
温風排出不良時に制御板７と遮蔽板９によって遮られた温風を温風流路２内に滞留させ、前記ハイリミットスイッチ８によって温風暖房機の運転を停止する請求項１記載の温風暖房機の吹出口安全ガード。
【発明の詳細な説明】
【０００１】
【産業上の利用分野】
この発明は温風暖房機の温風吹出口に取付ける安全ガードに関する。
【０００２】
【従来の技術】
温風暖房機は枠体内に熱源と温風流路を設け、枠体の背面などに取付けた対流ファンによって室内空気を温風流路に吹込み、枠体内では熱源と熱交換したり、熱源が燃焼による時には温風流路に送られる高温の燃焼ガスと室内空気とが混合して、枠体前面の温風吹出口から室内の吹出すことで暖房を行なっている。そして、枠体の温風吹出口には温風が吹出す高さを低くするルーバが備え付けられ、枠体前方の水平に近い方向に温風が吹出して暖房機から離れたところまで届くようにしている。
【０００３】
このように枠体の温風吹出口から吹出す温風は２００℃以上にもなっているから、この温風の吹出し方向を決めるルーバは温風の中に位置して加熱され、高温度になっている。この為、子供が誤ってルーバに手が触れると火傷をする恐れがあるから、最近では線材やたくさんの孔をあけた平板によって安全ガードを構成し、この安全ガードを温風吹出口の前方で表面温度が火傷しにくい温度になる位置に配置することが行なわれている。
【０００４】
この安全ガードの端部は曲げ加工によって上下左右を暖房機の枠体の方に折曲げ、端部は物を引っ掛けたり使用者が怪我をしないように端面処理をしっかり行なう必要がある。また、この安全ガードを固定する為に、温風吹出口のルーバや枠体の側面に固定装置を取付けて、この固定装置によって安全ガードを取付固定するものがあり、また、安全ガードの両側には位置調節ができる支柱を取付け、暖房機の置台に支柱の下端を固定して安全ガードの固定位置の高さ調節ができるようにしたものもある。
【０００５】
【発明が解決しようとする課題】
温風暖房機の温風吹出口から吹出す温風は温風吹出口の周囲の空気を巻込んで前方に送る働きがあり、暖房機の温風吹出口の周囲に向けて温風が吹出すことはほとんどなかった。しかし、最近では枠体内の熱交換部の改良や対流ファンの流速などの見直しになどによって温風温度を低く抑えることができ、また、安全ガードも素材の選択や表面処理の効果によって温風によって表面温度が上がりにくくすることができるようになってきた。この為、従来のように安全ガードの位置を温風吹出口から大きく離さずに、安全ガードを温風吹出口に接近して取付けることができるようになった。
【０００６】
温風吹出口に安全ガードを接近させた時には、高温のルーバに手を触れにくくする為にガードを構成する孔やスリット状の開口間隔を細かくしなければならないこともあって、安全ガードが温風の流れの障害になり易くなる。また、温風吹出口に取付られて温風が遠くまで届くようにする横方向のルーバ構成では側方への温風の拡散を防ぐことができないから、温風による温風吹出口の周囲の空気の巻き込み力が弱くなると、温風の一部は温風吹出口の側部へ流れて枠体の表面温度を高くしている。
【０００７】
また、温風暖房機の使用中に使用者が物を近づけて温風暖房機の前部を塞いだ時には、温風は安全ガードと枠体との間隙から上下左右の４方向に吹出すことになり、安全ガードの取付位置が枠体に近いと、吹出し間隔が狭いので温風の流速が強くなる。正常な使い方であれば枠体の上方は空間であり、枠体前面板に沿った下部には枠体の置台があって安全性が期待できるが、枠体の側方には物や家具やカーテンなどが置かれており、側方に向かう強い温風がこれらの物体に届くと異常加熱によって火災事故になることがある。
【０００８】
更に、線材で構成する安全ガードでも、多孔板で構成する安全ガードでも、従来は上下左右の４ヶ所を折曲げながら先端の端面処理を行なうから、この作業は加工工数が多い面倒な作業となっており、暖房機の付属品として販売するには製造コストが高過ぎ、別売品として対応せざるを得なかった。
【０００９】
【課題を解決するための手段】
この発明は上記課題を解決するもので、枠体１内に温風流路２を形成し、該温風流路２の入口側に対流ファン３を取付け、かつ、枠体１の前面には温風流路２の出口側を構成する温風吹出口４を形成し、該温風吹出口４には吹出す温風方向を所定の高さ方向に決めるルーバ５を設け、かつ、枠体１の温風吹出口４から一定の寸法を離して線材もしくは多孔板で形成した安全ガード６を設置した温風暖房機において、温風吹出口４の両側方には枠体１の前面から前方に突出する制御板７を配置し、該制御板７の前部は温風吹出口４の前方に配置した安全ガード６の側端部と連続し、この制御板７はルーバ５から吹出す温風を枠体１の前方へ誘導すると共に、前記温風吹出口４の前方に配置した安全ガード６の上部と下部には、安全ガード６を通過して前方へ吹出す温風の排出不良時に、この温風を枠体１の上下方向へ誘導する間隔が前記枠体１の前面との間に形成されていることを特徴とする。
【００１０】
また、安全ガード６の側端部はそのまま側方へ伸ばし、安全ガード６とは別部材によって構成した制御板７の前部と前記安全ガード６の側端部とを連続すると共に、制御板７には温風吹出口４の側部枠体に固定する取付手段７ａを形成し、該取付手段７ａによって制御板７を温風吹出口４の側部に固着しながら安全ガード６も取付しており、制御板７に設けた取付手段７ａを利用することによって安全ガード６の枠体１への固定手段が不用になったものである。
【００１１】
更に、温風流路２付近の枠体１内には温風暖房機の運転を停止するハイリミットスイッチ８を設け、前記温風吹出口４の両側方に配置した枠体１の側部への温風の流れを制御する制御板７の前部には、温風吹出口４の前方に配置した安全ガード６の側端部が連続しており、かつ、前記安全ガード６の少なくとも上部から枠体１の前面に至る間隔に向けて、この安全ガード６から連続する遮蔽板９を配置し、温風排出不良時に制御板７と遮蔽板９によって遮られた温風を温風流路２内に滞留させ、前記ハイリミットスイッチ８によって温風暖房機の運転を停止する構成としており、温風吹出口４の前方に流路障害があっても安全性能が確保できた。
【００１２】
【作用】
従来の温風暖房機では対流ファンを回転すると温風吹出口から温風がルーバによって誘導されて枠体の前方に届くようになっており、この為、高温の温風の中に位置するルーバは高温度に加熱され、人の体や手指が触れると火傷する恐れがある。この事故を防止する為に温風吹出口の前方を安全ガードで保護する構造が公知となっているが、安全ガードと枠体前面との間隔を狭くしたものは使い勝手がよくなるものである。
【００１３】
このように安全ガード６と温風吹出口４の間隔が狭くなると、もし何かが安全ガード６に触れて温風の流れを阻害した時には、この狭い間隔の上下左右方向に強い流速の温風が吹出すものであり、特に温風暖房機の左右方向は普段は温風が全く流れて来ないから、接近して可燃物が置かれている場合があり、可燃物が高温度に加熱されると危険な状態になる。
【００１４】
この発明では温風吹出口４の両側方には制御板７を配置し、制御板７の前部に安全ガード６の側端部を連続させたもので、もし、安全ガード６の前方を何かの物品で塞がれた時には、温風は上下方向に吹出すことがあっても枠体１の側方へ流れる風量が少くなり、側方に可燃物があっても発火する恐れがなくなった。
【００１５】
また、枠体１内にハイリミットスイッチ８を備え付けた時には、安全ガード６の上部と下部から枠体１方向に向けた遮蔽板９を構成すれば、温風が側方へ流れないだけでなく、上方もしくは上下方向にも流れないから、温風流路２内に温風が滞留して急速に枠体１の温度を高め、この温度上昇をハイリミットスイッチ８が感知して温風暖房機の運転を停止することで、流路障害時の安全性を高めることができた。
【００１６】
【実施例】
実施例を示す図によってこの構成を説明すると、１は温風暖房機の枠体、２は枠体１の背面から前面を連通するように枠体１内に設けた温風流路、３は温風流路２の入口側である枠体１の背面付近に取付けた対流ファンである。１０は温風暖房機の熱源として枠体１内に設けたバーナ、１１はバーナ１０に燃焼空気を供給する燃焼送風機、１２はバーナ１０に燃料を供給する燃料ポンプ、１３はバーナ１０の点火装置であり、燃料ポンプ１２によってバーナ１０に送られた燃料は点火装置１３が作動すると着火し、燃焼送風機１１から送られる空気の供給を受けて燃焼する。
【００１７】
１４はバーナ１０の燃焼炎と燃焼ガスが送られる燃焼室、４は枠体１の前面で温風流路２の出口側を構成する温風吹出口であり、前記燃焼室１４は温風流路２内に開口しており、対流ファン３によって送られる室内空気と燃焼室１４から排出される燃焼ガスとは空気流路２内で混合して、温風となって温風吹出口４から室内に吹出している。
【００１８】
５は温風吹出口４に横桟状に取付けたルーバ、６は温風吹出口４の前方に配置した安全ガードであり、ルーバ５は温風吹出口４から吹出す温風の方向を水平方向に位置させて、温風が低い高さで室内の遠くまで届くように方向付けており、室内の温度分布を均一にする働きがある。
【００１９】
上記の構成において温風暖房機の運転中のルーバ５は温度の高い温風の流れの中に配置してあるから、普段は２００℃以上に加熱されており、子供が使用中の温風暖房機のそばに寄ってきて、誤って体や手指がルーバ５に触れると火傷をすることになる。この為、温風吹出口４の前方に線材や多孔板で構成した安全ガード６を取付けることでこのトラブルを防いでいる。
【００２０】
従来の安全ガード６は線材や多孔板で構成されており、温風吹出口４に近づけると温度が高くなって安全ガード６として機能しなくなるので、離れた位置に設置できるように安全ガード６の上下左右が枠体１に向けて折曲げられ、この折曲げ部の先端は物を引っ掛けないように端面処理をしっかりすると共に、枠体１との取付構造が形成されている。従って、安全ガード６はかなり複雑な形状が要求され、加工工程も複雑で枠体１への取付も面倒なものになっていた。また、枠体１の前面から大きく離れた位置にある安全ガード６は、取付けた状態で温風暖房機を収納することができず、安全ガード６を取外して温風暖房機を収納する必要があった。
【００２１】
ところで最近では熱伝導の悪いセラミック系の素材を使ったり、外表面がざらついた仕上がりとなる耐熱性塗料や、耐熱短繊維の植毛といった表面処理を行なうことによって、温風が通過する安全ガード６の外表面の温度を低く保つことができるようになり、また、対流ファン３の流速の選択や、温風流路２の形状の見直しなどによって、かなり温風吹出口４に安全ガード６を近づけて取付けても、火傷の防止という目的が達成できるようになった。そして、このような構造であれば安全ガード６を取外すことなく温風暖房機を収納できる点が評価される。
【００２２】
一方、温風吹出口４からまっすぐ前方に温風が吹出す時には温風吹出口４周辺の空気を巻き込んで前方に送り出すので、周囲の温度上昇を抑えることができたが、安全ガード６を温風吹出口４に近づけることによって人の指などがルーバ５に触れ易くなるから、安全ガード６の開口間隔は狭くしなけらばならなくなる。この構造は温風の流れの大きな障害になっており、温風吹出口４付近の温度が上がり易くなると共に、ルーバ５によって上下の拡散を抑えられた温風は横に拡り易くなっている。
【００２３】
また、温風暖房機の使用中に何か物品が温風暖房機の前面に移動して前部を塞いだ状態を作り出すことはしばしばあり、この時温風は安全ガード６と枠体１との狭い間隔から上下左右に吹出すことになる。そして、この吹出間隔が狭い為に温風の流速が早くなって遠くまで届くようになるが、一般に温風暖房機の側方には温風が流れて来ないとの観念がある為に、物や家具やカーテンなどが置かれている事例が多く、側方に向かう温風によってこれらの物品が異常加熱されて火災事故になる恐れがある。
【００２４】
従って、安全ガード６を温風吹出口４に近づけることは上記の問題点を解決しなければならないが、７は枠体１の前面の温風吹出口４の両側方に配置した制御板であり、該制御板７は枠体１の側部への温風の流れを抑制する働きがある。前記安全ガード６の側端部は制御板７の前部に連続させてあり、安全ガード６によって枠体１の側方に流れ易くなった温風を制御板７が枠体１の前方に誘導すると共に、物が安全ガード６の前面に移動して来て温風の流れの障害になった時にも枠体１の側方への温風の流れが抑制され、枠体１の側方にある物品が異常加熱される恐れはなくなった。
【００２５】
また、安全ガード６の側部を制御板７に連続させたから、従来では安全ガード６の上下方向と左右方向の２方向について折曲加工が必要であったが、この発明の構造では側方の折曲げ加工や端面処理は不要となり、安全ガード６が間単に製造できるようになった。
【００２６】
実施例を示す図３において、７ａは制御板７を枠体１の温風吹出口４の側部に固定する為の取付手段、７ｂは制御板７の一部を切欠いて折曲げた安全ガード固定片であり、安全ガード６の方向に折曲げた制御板７の端と安全ガード固定片７ｂとの間に安全ガード６の側端部を挾み込んでいる。そして、両側にある制御板７は取付手段７ａを構成する取付ねじを制御板７の取付孔を介して枠体１に固着することで制御板７と安全ガード６とを一緒に枠体１に固定しており、該安全ガード６には特別な固定手段を設けていない。
【００２７】
また、安全ガード６は一枚の金属板に多数の空気孔を網状に打ち抜いた多孔板で構成しており、上下の端を枠体１の方向に折曲げして端面処理をしている。この為、安全ガード６の本体はプレスによる孔あけと折曲げだけで簡単に製造できるようになった。
【００２８】
尚、実施例の制御板７は金属板のプレス成形によって製造されており、安全ガード固定片７ｂを形成する為に切欠き孔ができてこの部分から温風が流出することがあるが、制御板７の働きは枠体１の側部への温風の流れを抑制することにあるから、この程度の孔があけられていても充分本件発明の枠体１の側方の可燃物を加熱させないという効果は得られるものである。
【００２９】
８は枠体１内の温風流路２付近に設けたハイリミットスイッチ、９は安全ガード６の上部もしくは上部と下部を伸ばして枠体１の前面に届かせて形成した遮蔽板であり、ハイリミットスイッチ８は異常温度上昇を検出した時に温風暖房機の運転を停止する働きがある。従って、この実施例では安全ガード６の前方が物によって塞がれて流路障害が起こった時には、少量の温風が枠体１の下方に向けて吹出すか、もしくは遮蔽板９によって下方への流れも塞がれて、大部分の温風は枠体１内の温風流路２に滞留するから、温風流路２の熱を受けてハイリミットスイッチ８が速やかに作動し、安全ガード６を塞いだ物品が高温になって危険な状態になる前に温風暖房機の運転を停止できるから、安全性を非常に高めることができた。
【００３０】
【発明の効果】
上記のように従来の温風暖房機では対流ファンを回転すると温風がルーバによって誘導されて枠体の前方に向かって低い位置に吹出しており、ルーバは高温の温風の中にあるから加熱され、子供が誤って近づいて体や手指がルーバに触れると火傷する恐れがある。この為、この事故を防止する手段として温風吹出口の前方を覆う安全ガードが市販されており、最近の安全ガードでは素材や表面処理によって触れても火傷しにくく安全性が向上しているので、安全ガードと温風吹出口との間隔を狭く構成したものも製造できるようになった。
【００３１】
このような温風吹出口４のある枠体１の前面と安全ガード６との間隔が狭い時に、安全ガード６に何かの物品がぶつかって安全ガード６の前面を覆う時には、この狭い間隔の上下左右方向に温風が吹出し、特に低い温風の流れを作り出す横方向のルーバ５があると上下よりも側方に温風が吹出しやすくなる。一般に横方向に向かう温風の流れは普段の使用では全く存在しないから、温風暖房機の側方に可燃物が接近して置かれている場合があり、温風によって可燃物が高温度にさらされるという非常に危険な状態が発生する。
【００３２】
この発明では温風吹出口４の両側方に制御板７を配置し、制御板７の前部に安全ガード６の側端部を連続させたもので、普段の使用において安全ガード６にぶつかった温風が両側部に向かうことがあっても、この温風を制御板７が枠体１の前方へ誘導すると共に、もし、安全ガード６の前方が物品で塞がれた時に、枠体１の側方に向かう温風の流れは制御板７によって阻止されて上下方向に導かれ、枠体１の側方に可燃物があっても発火する恐れがなくなった。
【００３３】
また、従来の線材や多孔板で構成する安全ガードは上下方向と左右方向の２方向の端面処理が必要で、端部を枠体に向けて折曲げしており、複雑な金型を使って複数の作業工程が必要であったが、枠体１の温風吹出口４の側部に取付ける制御板７を利用すれば、左右方向の端面処理をしないまま安全ガード６の側端部を制御板７に連続するように取付することによって、安全ガード６は製造し易く安価な固定構造が実現できた。
【００３４】
更に、この発明の構造では使用時において枠体１の側方に対する安全性能を実現できたから、市販品としての安全性能も充分で、はじめて安心して安全ガード６の取付位置を枠体１に接近できたものであり、この構造であればシーズンオフの温風暖房機の収納時において、従来品のように安全ガード６を取外して枠体１とは別々に収納箱の中に入れる必要がなくなり、枠体１に安全ガード６を取付けたままで収納できるようになった。
【００３５】
具体的な安全ガード６の固定構造としては、安全ガード６の側端部を両側から制御板７で保持して連続させ、しかる後、取付手段７ａによって制御板７を枠体１に固定すれば、安全ガード６の本体を枠体１に直接固定する構造が不要になって、安全ガード６の構造が更に簡単になり、安価に製造できるようになったものである。
【００３６】
また、温風の流路障害の時は異常事態であり、この現象を検出して温風暖房機の運転を停止することが好ましい。一般にこの種の安全装置として枠体１内にハイリミットスイッチ８を備え付けたものでは、ハイリミットスイッチ８の作動で運転を停止できるが、従来の安全ガードを取付けた温風暖房機ではこの流路障害の発生をハイリミットスイッチ８で検出することは極めて困難であった。
【００３７】
この発明では安全ガード６の取付位置を制御板７の働きで枠体１に接近させることができたから、更に、安全ガード６の上部と下部から枠体１方向に向けて間隔を塞ぐように遮蔽板９を構成しており、流路障害時には温風が側方に流れないだけでなく上下方向にも流れず、温風流路２内に温風が滞留して急速に枠体１の温度を高めることができた。この為、枠体１内のハイリミットスイッチ８がこの異常を検出して温風暖房機の運転を停止することで、流路障害発生時の安全性を高めることができたものである。
【図面の簡単な説明】
【図１】この発明の実施例を示す温風暖房機の断面図である。
【図２】この発明の実施例を示す温風暖房機の温風吹出口付近の要部断面図である。
【図３】この発明を実施する為の部品の状態を示す斜視図である。
【符号の説明】
１    枠体
２    温風流路
３    対流ファン
４    温風吹出口
５    ルーバ
６    安全ガード
７    制御板
７ａ  取付手段
８    ハイリミットスイッチ
９    遮蔽板
【図１】
0003713593.tif 000002
【図２】
0003713593.tif 000003
【図３】
0003713593.tif 000004